(57)【要約】      （修正有）【課題】特に遊技盤近傍において行われる不正行為を有効に防止すると共に、遊技盤の視認性を損なうことなく、省スペースで不正検知手段を配置することができ、かつ、透明板の組立性を損なうことのない遊技機を提供する。【解決手段】このパチンコ機は、遊技球の流下による遊技を実現する遊技盤と、遊技盤を保持する遊技機枠と、遊技盤の前方に位置して遊技機枠の前面開口を閉鎖し、遊技球の流下空間の一部を形成すると共に流下空間への外部からのアクセスを禁止し、かつ、遊技盤６を視認可能とする平板状のガラス１０と、ガラス１０の周囲を保持しつつ遊技機枠に取り付けられる保持部材８と、を有し、保持部材８は、ガラス１０の周囲近傍であって、遊技機枠３に遮蔽されて外部から前面開口を介して視認不可となる位置に、遊技に対する不正行為を電気的に検知する電波センサー２０を有する。【選択図】図３
2012080912.tif 000002
【特許請求の範囲】
【請求項１】
遊技球の流下による遊技を実現する遊技盤と、
該遊技盤を保持する遊技機枠と、
前記遊技盤の前方に位置して前記遊技機枠の前面開口を閉鎖し、前記遊技球の流下空間の一部を形成すると共に該流下空間への外部からのアクセスを禁止し、かつ、該遊技盤を視認可能とする平板状の透明板と、
該透明板の周囲を保持しつつ前記遊技機枠に取り付けられる保持部材と、を有する遊技機であって、
前記保持部材は、
前記透明板の周囲近傍であって、前記遊技機枠に遮蔽されて外部から前記前面開口を介して視認不可となる位置に、前記遊技に対する不正行為を電気的に検知する不正検知手段を有する、遊技機。
【請求項２】
前記保持部材は、前記不正検知手段と電気的に接続される第１コネクタ部材を有し、
前記遊技機枠は、前記遊技に関する動作制御を行う制御手段と電気的に接続される第２コネクタ部材を有し、
前記第１コネクタ部材と前記第２コネクタ部材とが着脱可能である、請求項１に記載の遊技機。
【請求項３】
前記保持部材を前記遊技機枠に対して傾斜した状態で該保持部材の一部を該遊技機枠の一部に挿入した後に、該遊技機枠に対して該保持部材を回転させることによって該遊技機枠に対して該保持部材を取り付ける保持部材の取付構造を有しており、
前記第１コネクタ部材及び前記第２コネクタ部材のうち少なくともいずれか一方が、前記保持部材の回転方向に沿って回転可能であって、かつ、前記傾斜の方向に向けて付勢されている、請求項１又は請求項２に記載の遊技機。
【発明の詳細な説明】
【技術分野】
【０００１】
本発明は、遊技機に係り、特にパチンコ機等における有効な不正検知を部品配置スペースを有効利用しつつ実現することのできる遊技機に関する。
【背景技術】
【０００２】
パチンコ機においては、弾球された遊技球が遊技領域（遊技盤面上又はその近傍に形成された領域であって、遊技球の流下による遊技や演出を実現するための領域。）を流下して、その流下の過程で遊技球が遊技領域内の遊技釘や風車に衝突しつつ転回して流下方向が変化する。その結果、遊技領域上に配置された各種入賞口に遊技球が入賞すれば所定の賞球の払出しがされ、一方いずれの入賞口にも入賞せずアウト口に遊技球が流入すれば賞球の払出しはされない。遊技者は、弾球における自らの技量を発揮して、又は遊技球の流下における偶然性を利用しつつ遊技球の入賞及び賞球の払出しを期待し、遊技を楽しむのである。
【０００３】
具体的には、外枠がパチンコ機全体の主に上下面及び左右側面を囲むように構成されている。この外枠は、一般に木材、樹脂又は金属等で形成された枠体であって、全体として略直方体形状を呈してその前後面部分が大きく開口して略筒状とされ、例えて言えば「四角筒」様形状とされている。
【０００４】
そして、その外枠の前方、すなわち、遊技者側には前枠が配置されている。この前枠は、遊技盤を保持するための枠体であって、外枠に対して開閉及び施錠可能に揺動軸支されている。更に、この前枠及び遊技盤はその裏面側に賞球払出装置、入賞球処理装置、遊技球の各種通路を含む裏セット盤を保持している。
【０００５】
前枠の更に前方にはガラス枠が配置されている。このガラス枠は遊技者に直接対向する位置に配置された枠体であって、一般に、中央近傍に遊技盤を視認可能とする前面開口が形成されてその前面開口部分にガラスを保持している。更にガラス枠はガラスの周囲に、遊技を演出するための造作物や色彩・模様が付されると共に電飾用ランプや効果音発生用スピーカ等が設けられた装飾部材を保持している。
【０００６】
このパチンコ機に対して、不正に利益を得る目的で不正行為が行われる場合がある。パチンコ機は上述した外枠、前枠、ガラス枠等によって遊技盤や賞球払出装置等を外部からのアクセス不可能に保持しているが、これらの枠部材を不正に開放したり、その一部を無理にこじ開けたりして内部に不正具を侵入させ、遊技盤や賞球払出装置に対して不正行為が行われる場合がある。また、遊技盤に配置された電子部品等に対して不正電波を用いた不正行為が行われる場合もある。
【０００７】
このような不正行為を防止するために、パチンコ機には、外枠に対する前枠の開放や前枠に対するガラス枠の開放を検知する開閉センサが設けられている。例えば、特許文献１には、１つの検知手段５０によって機枠１００とベースドア１１との開放及びベースドア１１と窓付ドア１２との開放を検知する構成が開示されている。
【先行技術文献】
【特許文献】
【０００８】
【特許文献１】特開２００１−３２３７２２号公報
【発明の概要】
【発明が解決しようとする課題】
【０００９】
しかしながら、枠を不正開放したりこじ開けたりする不正行為の他にも、例えば遊技盤に配置された電子部品等に対して不正電波を用いたり、遊技盤に対して無理な振動を与えたりする不正行為が行われる場合もあるが、特許文献１のものはこれらの不正行為に対して有効とは言えない。また、遊技盤近傍における不正行為を検出する検出手段をガラス面上に配置すると、遊技盤の視認性確保の観点から好ましくない。
【００１０】
本発明は、上記の事情に鑑みて為されたもので、特に遊技盤近傍において行われる不正行為を有効に防止すると共に、遊技盤の視認性を損なうことなく、省スペースで不正検知手段を配置することができ、かつ、透明板の組立性を損なうことのない遊技機を提供することを例示的課題とする。
【課題を解決するための手段】
【００１１】
上記の課題を解決するために、本発明の例示的側面としての遊技機は、遊技球の流下による遊技を実現する遊技盤と、遊技盤を保持する遊技機枠と、遊技盤の前方に位置して遊技機枠の前面開口を閉鎖し、遊技球の流下空間の一部を形成すると共に流下空間への外部からのアクセスを禁止し、かつ、遊技盤を視認可能とする平板状の透明板と、透明板の周囲を保持しつつ遊技機枠に取り付けられる保持部材と、を有する遊技機であって、保持部材は、透明板の周囲近傍であって、遊技機枠に遮蔽されて外部から前面開口を介して視認不可となる位置に、遊技に対する不正行為を電気的に検知する不正検知手段を有する。
【００１２】
遊技に対する不正行為を検知する不正検知手段を、透明板の周囲近傍であって遊技機枠に遮蔽されて外部から前面開口を介して視認不可となる位置に配置しているので、不正検知手段の配置によって遊技盤の視認性が損なわれることがない。しかも、不正検知手段を透明板の周囲近傍に配置しているので、遊技盤に対する不正行為を有効に防止することができる。
【００１３】
例えば、不正検知手段として電波センサーを用いることにより、遊技盤上の入賞口に備えられて入賞球の通過を検出する球通過センサーに対する不正電波を用いた不正行為を的確に検知することができる。また、不正検知手段として振動センサーを用いることにより、透明板や遊技機枠を叩くなどして遊技盤に不正な振動を加える不正行為を的確に検知することができる。もちろん、不正検知手段としては、その他の種々のセンサーを用いることができる。
【００１４】
透明板は、前面開口よりも大きく形成される。その透明板の周囲を保持部材が保持している。透明板は、前面開口よりも大きい範囲においてなるべく小さく形成することが可能であるが、保持部材は遊技機枠の隙間（例えば、ガラス枠と前枠との隙間。）からの不正具の侵入防止を考慮すると、一定の大型化が必要となる。そのため、保持部材のうち、透明板を保持する部分よりも外側部分には、部品配置のためのスペースの余裕がある。本発明では、その余裕スペースを有効利用して不正検知手段を配置している。
【００１５】
なお、不正検知手段は、保持部材の左下方、右下方又はその両方に配置することが好ましい。この部分において、透明板は保持部材よりも大きな面取形状又は大きなＲ形状とされることが多く、保持部材に「前面開口を介して視認不可である余裕スペース」が形成される。したがって、この余裕スペースに不正検知手段を配置することがスペースの効率的利用に繋がる。
【００１６】
保持部材は、不正検知手段と電気的に接続される第１コネクタ部材を有し、遊技機枠は、遊技に関する動作制御を行う制御手段と電気的に接続される第２コネクタ部材を有し、第１コネクタ部材と第２コネクタ部材とが着脱可能であってもよい。
【００１７】
保持部材側に配置される第１コネクタ部材と遊技機枠側に配置される第２コネクタ部材とが接続されることにより、不正検知手段からの検知信号を制御手段へと電気的に伝達することができる。不正検知手段と第１コネクタ部材とは電気的に接続されている。すなわち、不正検知手段から第１コネクタ部材までハーネス（電気配線）が繋がっているが、そのハーネスは透明板より外側の保持部材に沿って配線される。保持部材に配線用の溝が形成されて、その溝内にハーネスを配線してもよい。その溝内には、ハーネスを固定又は仮止めするための係止部や突起部が設けられていてもよい。それにより、ハーネスが保持部材からはみ出して前面開口から視認可能となってしまう事態を予防することができる。
【００１８】
不正検知手段が、保持部材の左下方及び右下方に配置される場合には、例えば、第１コネクタ部材は保持部材の下方中央近傍に配置されることが好ましい。左右の不正検知手段から第１コネクタ部材へのハーネスの引き回し距離が短くて済み配線が簡潔となる。一方、第１コネクタ部材を保持部材の右端部中央近傍に配置することも好ましい。透明板を保持する遊技機枠がこじ開けられる不正行為は、一般的に遊技機枠の右側方から行われることが多い。その右側方において遊技機枠の上下位置は施錠手段等により固定されているが、中央近傍は固定されておらず無理なこじ開けによって撓んでしまうことがある。第１コネクタ部材が保持部材の右端部中央近傍に配置されていれば、こじ開けによって遊技機枠の右側方中央近傍が撓んだ場合に、第１コネクタ部材が第２コネクタ部材から脱落する。そのコネクタ部材の脱落を検知することによって、遊技機枠の不正なこじ開けを有効に検知及び防止することができる。
【００１９】
なお、第１コネクタ部材と第２コネクタ部材とは着脱可能であるので、保持部材と遊技機枠との組立てや、遊技機のメンテナンスを容易に行うことができる。遊技機枠に保持部材を取り付ける際に両コネクタ部材を装着（接続）し、保持部材を遊技機枠から取外す際に両コネクタ部材を脱落（分離）させることが容易に実現できる。また、メンテナンス等における遊技機枠の開閉動作の場合に、両コネクタを簡単に分離することが可能であるので、メンテナンス性が向上する。
【００２０】
保持部材を遊技機枠に対して傾斜した状態で保持部材の一部を遊技機枠の一部に挿入した後に、遊技機枠に対して保持部材を回転させることによって遊技機枠に対して保持部材を取り付ける保持部材の取付構造を有しており、第１コネクタ部材及び第２コネクタ部材のうち少なくともいずれか一方が、保持部材の回転方向に沿って回転可能であって、かつ、傾斜の方向に向けて付勢されていてもよい。
【００２１】
遊技機枠に保持部材を取り付ける際の傾斜方向に沿って第１コネクタ部材及び第２コネクタ部材のうち少なくともいずれか一方が傾斜していれば、保持部材の取付けと略同時に両コネクタの接続を殆ど意識することなく完了させることができる。組立作業が非常に効率的となる。そして、保持部材を遊技機枠に対して回転させて取付け完了させる際に、その回転方向に沿って第１コネクタ部材及び第２コネクタ部材のうち少なくともいずれか一方が回転可能となっていれば、保持部材の取付け完了の際にも両コネクタに過大な負荷がかからない。
【００２２】
更に、第１コネクタ部材及び第２コネクタ部材のうち少なくともいずれか一方が、上述の傾斜方向に向けて付勢されていれば、遊技機枠から保持部材を取り外した状態ではコネクタ部材が常に傾斜方向（取付け方向）を向くこととなる。したがって、保持部材の取付けの際に、コネクタ部材をわざわざ手で回転させて傾斜方向に向かせる必要なく、円滑に保持部材の取付けとコネクタ部材の接続を行うことができるので、一層組立性が向上する。
【００２３】
本発明の更なる目的又はその他の特徴は、以下添付図面を参照して説明される好ましい実施の形態によって明らかにされるであろう。
【発明の効果】
【００２４】
本発明によれば、遊技盤近傍における不正行為を、遊技盤の視認性に悪影響を与えることなく、保持部材の部品配置スペースを有効利用して、有効に検知することができる。しかも、保持部材における部品配置スペースを有効利用しつつ不正検知手段を配置することができるので、結果的に省スペースに寄与する。また、着脱可能なコネクタ部材を用いることにより、遊技機の組立性向上、メンテナンス性向上にも寄与する。
【図面の簡単な説明】
【００２５】
【図１】本発明の実施の形態に係るガラスユニットを備えるパチンコ機の正面図である。
【図２】図１に示すパチンコ機２の分解斜視図である。
【図３】図２に示すガラスユニットの正面図である。
【図４】図２に示すガラスユニットの斜視図である。
【図５】図４に示す保持枠の下辺近傍を拡大した拡大図である。
【図６】ガラス枠とガラスユニットとを分解した側面図である。
【図７】図４に示す保持部材の下辺近傍において、オスコネクタを分解して示した分解図である。
【図８】本発明の変形例に係るガラスユニットの斜視図である。
【発明を実施するための形態】
【００２６】
以下、本発明の実施の形態について図面を用いて説明する。図１は、本発明の実施の形態に係るガラスユニット（透明板ユニット）１１を備えるパチンコ機２の正面図である。また、図２は、このパチンコ機２の分解斜視図である。このパチンコ機２は、遊技機枠３、遊技盤ユニット５、ガラスユニット１１、発射ユニット（不図示）、球皿１４を有している。発射ユニットは、遊技球２３を遊技盤ユニット５に構成される遊技領域１６に向けて１個ずつ発射可能である。
【００２７】
パチンコ機２は、後述する発射装置ハンドル１５を遊技者が操作することによって、遊技領域１６に向けて遊技球２３が発射ユニットによって発射されることで、遊技球２３の流下による遊技を実現する。なお、遊技機は、パチンコ機２の他にコインゲーム機等のアーケードマシン、各種ゲーム機を概念することができ、要するに、遊技媒体の流下による遊技を実現する遊技領域を有するあらゆる遊技機が含まれる。なお、パチンコ機においても、アレンジボール機、雀球機等の組合せ式パチンコ機、いわゆるデジパチタイプ（１種タイプ）やハネモノタイプ（２種タイプ）のパチンコ機等のあらゆるパチンコ機が概念できるが、本実施の形態においては、デジパチ遊技（１種遊技、図柄変動遊技ともいう。）を実現するいわゆる１種タイプのパチンコ機について例示説明する。なお、図柄変動遊技については後述する。
【００２８】
パチンコ機２の遊技機枠３は、後述する遊技盤ユニット５を保持するためのもので、このパチンコ機２の周囲側面及び前方又はそれに加えて後方を囲むように構成される。遊技機枠３の内部側には、遊技盤ユニット５の他にも後述する各種制御基板や遊技媒体用の経路等各種機構部品が配置され、遊技機枠３によって周囲側面及び前方又はそれに加えて後方からのパチンコ機２内部側への不正アクセスが防止されるようになっている。
【００２９】
パチンコ機２の周囲を囲む外枠４、その内側にヒンジ２２によって前方開閉可能に揺動支持されて遊技盤ユニット５を保持する前枠９、前枠９の前方にヒンジ２２によって前方開閉可能に揺動支持されガラスユニット１１及びその周囲を装飾する装飾部材３２を保持するガラス枠１２、を有して遊技機枠３が構成される。なお、ガラスユニット１１についての詳細は後述する。
【００３０】
球皿１４は、遊技者の持ち球を貯留するためにパチンコ機２の前面に配置された皿部材であって、本実施の形態においては上球皿１４ａと下球皿１４ｂとを有している。上球皿１４ａは、球抜き部材を有して遊技盤６の下方、すなわちガラス枠１２の下方部分に配置され、下球皿１４ｂは、その上球皿１４ａの更に下方に配置されている。
【００３１】
発射ユニットは、球送り装置（不図示）によって球皿１４の一部としての上球皿１４ａから発射位置に送り出された遊技球２３を遊技領域１６の上部に向けて発射（弾球）するためのものである。発射ユニットは、例えば発射位置の遊技球２３を弾球する発射杆、その発射杆を駆動する発射モータ、発射杆を付勢して弾球力を発生させる発射バネ等を有してユニット構成され、前枠９に取り付けられている。その発射ユニットによる球発射のため、遊技者の操作に基づいて球発射のオンオフ及びその発射強度調整を実現する発射装置ハンドル１５がパチンコ機２の前面下方に設けられている。
【００３２】
遊技盤ユニット５は、遊技盤面６ａ側の略中央に遊技役物としてのセンター役物７が配置された遊技盤６を有しており、その遊技盤面６ａには多数の遊技釘２７も配置されている。センター役物７の中央部には、画像表示手段としての演出表示装置７ａが配置されている。
【００３３】
遊技盤６は、その表面側に遊技球２３の流下による遊技を実現するための遊技領域１６を構成するための盤状部材であり、遊技盤６を前方から遊技者にとって視認可能となるように遊技機枠３（本実施の形態においては、遊技機枠３の一部としての前枠９。）に保持されている。その遊技盤６の表面には略円形状に周囲を囲むようにレール飾り２６が取り付けられており、レール飾り２６の外レールが遊技盤に対して立設するように配置されている。そして、レール飾り２６の外レールによって画定され、外レールに面した略円形状の領域が遊技領域１６となっている。
【００３４】
遊技釘２７は、遊技領域１６を流下する遊技球２３と衝突してその流下方向を変更させる流下変更部材であり、多数が遊技領域１６内に配置されている。また、遊技領域１６には、普通入賞口２８、始動入賞口２９、大入賞口３１等の入球部材及びアウト口３０が配置されている。更に、遊技領域１６には、ゲート３３、風車３４等が配置されており、流下する遊技球２３が各入球部材に流入したり、ゲート３３を通過したり、風車３４を回転させたりすることによって、遊技球２３による流下遊技を楽しむことができるようになっている。
【００３５】
センター役物７は、演出表示装置７ａの周囲を覆うように構成されており、図柄変動遊技（１種遊技）を実現するものである。センター役物７の上部には、図柄表示手段としての第１図柄（特別図柄)表示装置１７が配置されると共に、センター役物７の中央部には、演出表示装置７ａが配置されている。
【００３６】
第１図柄表示装置１７には、抽選手段の抽選結果である第１図柄の変動が表示される。第１図柄は、始動入賞口２９への遊技球２３の入球を契機として実行される抽選の結果に対応した図柄である。第１図柄の変動表示が所定の当選態様で停止することにより第１特別遊技としての大当りが発生する。
【００３７】
演出表示装置７ａは、例えば、液晶表示装置・有機ＥＬディスプレイ・ＬＥＤ等により構成されて遊技者が遊技盤面６ａ側から視認可能となるように配置され、その表示部７ｂ上に映像表示を行うものである。この演出表示装置７ａの表示部７ｂには、第１図柄に連動する表示図柄（第１装飾図柄）７ｃの表示がなされる。表示図柄７ｃは、第１抽選手段の抽選結果を視覚的に演出するための図柄であり、第１の遊技に対応する。また、例えば、キャラクター等によるストーリー仕立ての映像としての演出映像も表示部７ｂ上に表示されるようになっている。演出表示装置７ａには、遊技制御手段の一部としての演出制御基板が中継基板を介して電気的に接続されており、演出制御基板によって画像表示が制御される。また、遊技盤６の裏面側には、遊技制御手段の一部としての主制御手段（制御手段、不図示）が配置されており、この主制御基板がパチンコ機２の遊技全体の制御動作を司っている。
【００３８】
図示しない球発射装置により遊技球２３が発射されると、遊技球２３はレール飾り２６の外レールに沿いつつ進行して遊技領域１６内の上部に至る。その後、遊技球２３は、複数の通過軌跡に沿って移動し、あるものはレール飾り２６の外レールに沿って右側に移動し、あるものは遊技釘２７に衝突しつつ遊技領域１６内を下方に流下し、あるものは普通入賞口２８に流入して一定賞球数の払出しの契機となり、あるものはいずれの入球装置にも流入せずに遊技領域１６内最下部に位置するアウト口３０に流入してアウト球としてパチンコ機２の外部側へと排出される。
【００３９】
図柄変動遊技中に遊技球２３が始動入賞口２９に流入すると、その流入に起因して演出表示装置７ａの表示図柄７ｃが回転表示（第１の特別遊技の抽選）を開始し、その表示図柄７ｃが所定の図柄（例えば、「７・７・７」。）で停止表示すれば、図柄変動遊技における大当り（第１の特別遊技。以下、図柄変動大当りという。）が発生する。そして、大入賞口３１が開放して多量の入賞球を受け入れ、多量の賞球が球皿１４へと払い出されるようになっている。なお、遊技盤面６ａ上の普通入賞口２８、始動入賞口２９、大入賞口３１、ゲート３３等には、遊技球２３の入賞（通過）を検出するための球通過センサー（入賞センサーとも言う。）が配置されている。
【００４０】
図２に示すように、このパチンコ機２のガラス枠１２と前枠９との間には、ガラス枠１２に保持されるガラスユニット１１と前枠９に保持される遊技盤ユニット５とが配置されている。ガラスユニット１１は、ガラス（透明板）１０及び保持部材８を有して大略構成されている。ガラス枠１２には、遊技者から遊技盤６を視認可能とするための前面開口１２ａ（図１も参照）が形成され、その前面開口１２ａをガラス１０が閉鎖するようにガラスユニット１１が保持されている。
【００４１】
ガラス１０は、遊技盤６に対して一定距離以上離間して配置された透明板である。ガラス１０は、遊技盤６との間に遊技球２３が流下する流下空間を形成する機能、遊技者がガラス１０を通して遊技盤６を視認できるように視認性を確保する機能、遊技者が遊技盤６に不正にアクセス（接触）できないように不正アクセスを防止する機能、を発揮する。
【００４２】
図３は、このガラスユニット１１の正面図である。図３においては、ガラス枠１２を省略した状態で、ガラスユニット１１を遊技者側から見た図を示している。図４は、このガラスユニット１１の斜視図である。本実施の形態においては、ペアガラスタイプのガラスユニット１１が採用されており、２枚のガラス１０が前後方向から保持部材８を挟み込んで保持部材８に保持されている。なお、図３及び図４においては、ガラス枠１２側に配置されるメスコネクタ（第２コネクタ部材）１９も図示している。メスコネクタ１９は、図示しないハーネスを介して主制御基板に接続されている。
【００４３】
ガラス１０は、平板状の透明部材であって、図に示すように、大略長方形と半円とが接合された形状をしている。保持部材８は、保持枠８ａを有して大略構成され、その保持枠８ａが囲んで形成される中央開口８ｂにガラス１０を嵌入するように構成される。したがって、保持枠８ａの内周形状は、ガラス１０の外周形状と略一致している。
【００４４】
保持部材８の左右端下方近傍位置には、各々電波センサー（不正検知手段）２０が配置されている。ガラス１０の左右端下方近傍位置には、各々面取り部１０ａが形成されている。一方、保持枠８ａの左右端下方近傍位置は、ガラス１０のように大きく面取りされておらず、角部８ｃとされている。そして、この角部８ｃと面取り部１０ａとの間には、スペースに余裕のある配置領域Ｒが存在している。この配置領域Ｒに電波センサー２０が配置されている。
【００４５】
電波センサー２０を配置領域Ｒに配置すれば、電波センサー２０と遊技盤面６ａ上に配置された普通入賞口２８や始動入賞口２９や大入賞口３１との距離を比較的近い位置とすることができる。したがって、配置領域Ｒに配置された電波センサー２０によって、普通入賞口２８、始動入賞口２９、大入賞口３１の球通過センサーに対する不正電波を用いた不正行為を有効に検知し得る。また、従来は実質的に利用されることなくデッドスペースとなっていた配置領域Ｒに電波センサー２０を配置しているので、電波センサー２０の配置スペースを別途準備する必要がなく、部品配置スペースの有効利用に資することができる。
【００４６】
図５は、保持枠８ａの下辺近傍を拡大した拡大図である。保持部材８は、その下方中央近傍位置にオスコネクタ（第１コネクタ部材）１８を有している。このオスコネクタ１８は、ガラス枠１２側に配置された後述するメスコネクタ１９に挿入されて接続されるコネクタ部材であって、両側の電波センサー２０とハーネス２１によって電気的に接続されている。
【００４７】
そのハーネス２１は、保持枠８ａの下辺に左右に延びて形成された配線レール８ｄに沿って配線されている。配線レール８ｄは溝状になっており、この配線レール８ｄ内をハーネス２１が通るので、ハーネス２１が不用意に保持枠８ａから出っ張ってしまったり、前面開口１２ａから遊技者に視認されてしまうことが防止される。なお、図示しないが、この配線レール８ｄ内にフック状の係止部やジグザグ状に配置された突起部を形成し、ハーネスを固定したり仮止めしたりすることは一層効果的である。
【００４８】
オスコネクタ１８とメスコネクタ１９とが接続されることにより、電波センサー２０と主制御基板とが電気的に接続される。それにより、電波センサー２０によって不正行為を検知した検知信号が、主制御基板へと送信可能とされる。オスコネクタ１８とメスコネクタ１９とは、簡単に着脱することができるようになっている。
【００４９】
図６は、ガラス枠１２とガラスユニット１１とを分解した側面図である。メスコネクタ１９は本来ガラス枠１２内に配置されているが、説明容易のため後方に移動して図示している。ガラスユニット１１をガラス枠１２に取り付ける際、その取り付け手順として、まず、保持部材８の上辺８ｅ近傍を後方に傾斜させた状態で、下辺８ｆ近傍をガラス枠１２の背面に接触させる。より具体的には、保持部材８の下辺８ｆ近傍の左右位置において下方に突出する挿入突起８ｇをガラス枠１２背面の挿入孔（不図示）に上から下に向けて挿入する。その時点で、保持部材８の上辺８ｅ近傍は、後方に向けて約２０°傾斜している。その後、下辺８ｆを中心として上辺８ｅを前方に向けて回転させてガラス枠１２の背面に沿わせ、保持部材８をガラス枠１２に取り付ける。
【００５０】
保持部材８のガラス枠１２からの取外しの際は、上記取り付け手順と逆の手順で取り外す。すなわち、保持部材８を、下辺８ｆを中心として上辺８ｅを後方に向けて約２０°回転させる。その後に、保持部材８の下辺８ｆ近傍に配置された挿入突起８ｇをガラス枠１２の挿入孔から上方向に抜く。このように、ガラス枠１２と保持部材８との着脱は容易に行えるようになっている。
【００５１】
なお、本実施の形態においては、保持部材８の挿入突起８ｇをガラス枠１２の挿入孔に挿入するに伴い、オスコネクタ１８がメスコネクタ１９に挿入されるようになっており、保持部材８の挿入突起８ｇをガラス枠１２の挿入孔から抜くのに伴い、オスコネクタ１８がメスコネクタ１９から脱離するようになっている。それにより、コネクタの挿抜を意識しなくても、保持部材８の着脱に伴いコネクタも着脱されるので、コネクタの抜き忘れによるハーネスの損傷等の不具合やコネクタの挿入し忘れによる検知信号エラー等の不具合を未然に防止することができる。
【００５２】
図７は、保持部材８の下辺８ｆ近傍において、オスコネクタ１８を分解して示した分解図である。オスコネクタ１８は、コネクタ本体１８ａ、回転軸部材１８ｂ、付勢部材１８ｃを有している。コネクタ本体１８ａは回転軸部材１８ｂに２箇所のビスで締結される。回転軸部材１８ｂは、保持枠８ａに形成された空隙部８ｈに挿入されて、軸Ｘ方向に回転可能とされる。その結果、コネクタ本体１８ａが矢印α方向に回転可能となっている。
【００５３】
付勢部材１８ｃは、回転軸部材１８ｂを矢印α方向に付勢する機能を有する。付勢部材１８ｃは樹脂等により形成されて弾性を有する舌片部１８ｄを有している。この舌片部１８ｄは、回転軸部材１８ｂに当接しており、その弾性によって回転軸部材１８ｂを矢印α方向へと付勢する。それにより、コネクタ本体１８ａも矢印α方向へと付勢される。
【００５４】
保持枠８ａは、コネクタ本体１８ａ又は回転軸部材１８ｂの一部に当接するストッパ部（不図示）を有している。このストッパ部は、コネクタ本体１８ａの矢印α方向への回転を所定角度で規制するような位置に配置されている。本実施の形態においては、コネクタ本体１８ａが矢印α方向に約２０°回転した位置で回転が規制されるようにストッパ部が配置されている。
【００５５】
このような構成により、保持部材８がガラス枠１２から取り外された状態、すなわちオスコネクタ１８がフリーな状態では、オスコネクタ１８は矢印α方向に約２０°回転している。この回転角は、保持部材８のガラス枠１２への取付けの初期段階で保持部材８を傾斜させる傾斜角と略同じである。したがって、保持部材８をガラス枠１２に取り付けるべく挿入突起８ｇをガラス枠１２の挿入孔に挿入する際、保持部材８はガラス枠１２に対して後方に傾斜しているが、オスコネクタ１８とメスコネクタ１９とは、挿入方向を同一にして対向している。したがって、コネクタの接続を容易に行うことができる。
【００５６】
その後保持部材８を前方に回転させてガラス枠１２に取り付けると、付勢部材１８ｃによる付勢力に抗して回転軸部材１８ｂが−α方向に回転するが、舌片部１８ｄが充分な弾性を有しているので、破損等の問題を生じることはない。
【００５７】
［変形例］
図８は、本発明の変形例に係るガラスユニット１１の斜視図である。この変形例においては、保持部材８の右辺８ｊにおける上下方向の中央近傍位置にオスコネクタ１８が配置されている。そして、前枠９側においてこのオスコネクタ１８に対応する位置にメスコネクタ１９が配置される。なお、本変形例において、上記実施の形態と同様の構成物については、同一の符号を付して詳細な説明を省略する。
【００５８】
この変形例では、メスコネクタ１９が前枠９に配置される。したがって、ガラス枠１２に保持されたガラスユニット１１が、ガラス枠１２の開放に伴って前方移動すると、コネクタ１８，１９同士の接続が遮断される。したがって、このコネクタ１８，１９を「ガラスユニット１１に配置された電波センサー２０からの検知信号を主制御基板に送信するため」のみならず、「前枠９に対するガラス枠１２の開閉検知」としても利用することができる。
【００５９】
ガラス枠１２をこじ開けて、前枠９とガラス枠１２との隙間から不正具を挿入する不正行為の検知にも利用することができる。すなわち、ガラス枠１２は前枠９と左側のヒンジ２２によって軸支されているので、ガラス枠１２のこじ開けについては、右側からこじ開けられることが多い。ガラス枠１２の右側上下位置は、施錠装置（不図示）によって強固に係合されているが、右側の上下方向略中央位置は撓みやすくなっている。その右側における上下方向略中央位置にコネクタ１８，１９を配置することにより、こじ開けによってガラス枠１２が撓んだ場合に、コネクタ１８，１９が脱離して異常を報知するように構成することができる。
【００６０】
以上、本発明の好ましい実施の形態を説明したが、本発明はこれらに限定されるものではなく、その要旨の範囲内で様々な変形や変更が可能である。
【符号の説明】
【００６１】
α：矢印
Ｒ：配置領域
Ｘ：軸
２：パチンコ機(遊技機)
３：遊技機枠
４：外枠
５：遊技盤ユニット
６：遊技盤
６ａ：遊技盤面
７：センター役物
７ａ：演出表示装置
７ｂ：表示部
７ｃ：表示図柄（第１装飾図柄）
８：保持部材
８ａ：保持枠
８ｂ：中央開口
８ｃ：角部
８ｄ：配線レール
８ｅ：上辺
８ｆ：下辺
８ｇ：挿入突起
８ｈ：空隙部
８ｊ：右辺
９：前枠
１０：ガラス（透明板）
１０ａ：面取り部
１１：ガラスユニット（透明板ユニット）
１２：ガラス枠
１２ａ：前面開口
１４：球皿
１４ａ：上球皿
１４ｂ：下球皿
１５：発射装置ハンドル
１６：遊技領域
１７：第１図柄（特別図柄)表示装置
１８：オスコネクタ（第１コネクタ部材）
１８ａ：コネクタ本体
１８ｂ：回転軸部材
１８ｃ：付勢部材
１８ｄ：舌片部
１９：メスコネクタ（第２コネクタ部材）
２０：電波センサー（不正検知手段）
２１：ハーネス
２２：ヒンジ
２３：遊技球
２６：レール飾り
２７：遊技釘
２８：普通入賞口
２９：始動入賞口
３０：アウト口
３１：大入賞口
３２：装飾部材
３３：ゲート
３４：風車
【図１】
2012080912.tif 000003
【図２】
2012080912.tif 000004
【図３】
2012080912.tif 000005
【図４】
2012080912.tif 000006
【図５】
2012080912.tif 000007
【図６】
2012080912.tif 000008
【図７】
2012080912.tif 000009
【図８】
2012080912.tif 000010